【手続補正書】
【提出日】平成22年12月8日(2010.12.8)
【手続補正１】
【補正対象書類名】特許請求の範囲
【補正対象項目名】全文
【補正方法】変更
【補正の内容】
【特許請求の範囲】
【請求項１】
複数の受信機を有する無線マルチキャストシステムにおいて使用するための装置であって、
前記複数の受信機から受信したチャネル状態及び速度情報のうち少なくとも１つを記憶するためのストレージと、
送信タイムスロット毎に前記複数の受信機のうちのいくつかの受信機に同報通信チャネルを介して情報を同報通信するための送信機と、
前記送信機に異なる送信タイムスロットごとに異なる速度で送信させるように前記送信機の送信速度を適合させる、前記ストレージ及び前記送信機に接続されたコントローラとを備え、
前記コントローラが、
各送信タイムスロットに関して、複数の受信機のソート済リストから受信機部分集合を決定し、ここで、前記ソート済リストが、各送信タイムスロットにおける各受信機の達成可能速度に基づいてソートされ、前記受信機部分集合が、チャネル状態情報履歴における前記各送信タイムスロットの間に前記同報通信チャネルを介して同報通信送信を確実に受信するターゲットにされた受信機であり、
前記送信機が前記情報をマルチキャスト方式で前記受信機部分集合に同報通信する際の送信速度を、前記同報通信チャネルに関連付けられ前記複数の受信機から受信したチャネル状態情報と、前記受信機部分集合とに基づいて設定し、ここで、前記送信速度が前記受信機部分集合中の受信機の最低到達可能速度であり、これにより、前記受信機部分集合に含まれていない複数の受信機が各送信タイムスロットにおけるブロック抹消を観測可能な間に、前記受信機部分集合中の受信機が各送信タイムスロットの同報通信情報を再生することができるようになり、
前記コントローラが、固定速度抹消符号及びレートレス符号からなる群のうちの一つを使って各送信タイムスロットに関する前記同報通信情報から符号化ブロックを生成するエンコーダを備え、これにより、異なる複数のタイムスロットを跨いで異なる受信機部分集合をターゲットにすることによって起こる抹消に対して適当な数の符号化ブロックを受信した後に、前記同報通信情報が前記複数の受信機のすべてにより再生され、
前記送信機が前記符号化ブロックを前記受信機部分集合に送信する、
装置。
【請求項２】
前記コントローラが、前記送信機の送信速度を、前記コントローラによって選択された前記受信機部分集合のうちの最悪のチャネル条件を満足するように前記送信機の送信速度を設定することによって適合させる、請求項１に記載の装置。
【請求項３】
前記コントローラが、
前記複数の受信機を個々のチャネル状態情報に基づいてソートしてソートリストを作成し、
最適な順序情報に基づいて前記ソートリスト中の値を決定し、
過去のチャネル状態情報履歴、及び前記複数の受信機のうちの全ての受信機に関連付けられた送信スケジュールのうち少なくとも１つが与えられると、前記ソートリスト中の前記値以上の達成可能送信速度を有する全ての受信機を含むように前記受信機部分集合を決定する
ことによって前記受信機部分集合を識別する、請求項１に記載の装置。
【請求項４】
前記コントローラが、各受信機の前記チャネル状態情報に基づいて関数を計算し、前記複数の受信機のうちの受信機を前記関数の計算結果についてソートする、請求項３に記載の装置。
【請求項５】
前記関数は、チャネル状態情報、及び過去の前記複数の受信機のうちのいくつかの受信機への送信のスケジューリングに関連する情報に基づくものである、請求項４に記載の装置。
【請求項６】
前記過去のスケジューリングに関連する情報が、前記受信機それぞれへの平均スループットを含む、請求項５に記載の装置。
【請求項７】
前記関数が、現時点における前記複数の受信機の各受信機の容量に対応する、請求項５に記載の装置。
【請求項８】
前記関数が、拡張容量と比較した、現時点における各受信機の容量に対応する、請求項５に記載の装置。
【請求項９】
前記関数が、前記受信機のスループットと比較した、現時点における各受信機の容量に対応する、請求項５に記載の装置。
【請求項１０】
前記コントローラが、
前記複数の受信機の各受信機の達成可能速度を次のタイムスロットのための順番でソートしてリストにし、
前記リスト中の１台の受信機の１つの達成可能速度に等しい送信速度であって、前記１つの達成可能速度が、前記リスト中の、所定数の受信機に関連付けられた最高の達成可能速度を含むグループ内において最低の達成可能速度である送信速度を設定する
ことで前記受信機部分集合を選択し、
前記設定された送信速度以上の信頼できる送信速度を有する受信機への次のタイムスロットでのデータの送信をスケジュールすることをさらに含む、
請求項１に記載の装置。
【請求項１１】
前記コントローラが、１タイムスロットの間に少なくとも１回のマルチキャスト送信が行われるようにすることを含む、マルチキャスト送信のための速度適合化を行い、且つ前記送信機の送信速度を設定することによって、前記送信機の送信速度を適合させ、
該送信速度は、前記タイムスロットにおいてベストＬ人のユーザに役立つ送信速度であり、
前記送信機が、前記タイムスロットの間ずっと前記送信速度で送信する、
請求項１に記載の装置。
【請求項１２】
前記コントローラが、
各受信機について１チャネル当たりの容量を計算し、
前記受信機グループについて１チャネル当たりの容量を正規化したものをソートし、
前記ソートされた受信機グループから、前記ソーティングに基づいて所定数の受信機を選択し、
前記送信速度は、前記所定数の受信機のうちの受信機の送信速度のうち最低の送信速度にしたがって設定される、
請求項１１に記載の装置。
【請求項１３】
前記固定速度抹消符号が、前記チャネル状態情報及び前記スケジュール履歴を使って前記符号化されたブロックを生成する、請求項１に記載の装置。
【請求項１４】
前記レートレス符号が、前記チャネル状態情報及び前記スケジュール履歴を使って前記符号化されたブロックを生成する、請求項１に記載の装置。
【請求項１５】
同報通信チャネルを介して同報通信情報を送る送信機と、
前記同報通信チャネルを介して送信を受信する複数のノードと、
前記送信機に、前記受信機から受け取ったチャネル状態と、ターゲットである実在する信頼性とに応じて異なる速度で送信させるように、速度適合化を実施するコントローラと、を備え、
前記コントローラが、
各送信タイムスロットに関して、複数の受信機のソート済リストから受信機部分集合を決定し、ここで、前記ソート済リストが、各送信タイムスロットにおける各受信機の達成可能速度に基づいてソートされ、前記受信機部分集合が、チャネル状態情報履歴における前記各送信タイムスロットの間に前記同報通信チャネルを介して同報通信送信を確実に受信するターゲットにされた受信機であり、
前記送信機が前記情報をマルチキャスト方式で前記受信機部分集合に同報通信する際の送信速度を、前記同報通信チャネルに関連付けられ前記複数の受信機から受信したチャネル状態情報と、前記受信機部分集合とに基づいて設定し、ここで、前記送信速度が前記受信機部分集合中の受信機の最低到達可能速度であり、これにより、前記受信機部分集合に含まれていない複数の受信機が各送信タイムスロットにおけるブロック抹消を観測可能な間に、前記受信機部分集合中の受信機が各送信タイムスロットの同報通信情報を再生することができるようになり、
固定速度抹消符号及びレートレス符号からなる群のうちの一つを使って各送信タイムスロットに関する前記同報通信情報から十分な数の符号化ブロックを生成するエンコーダを備え、これにより、異なる複数のタイムスロットを跨いで異なる受信機部分集合をターゲットにすることによって起こる抹消に対して適当な数の符号化ブロックを受信した後に、前記同報通信情報が前記複数の受信機のすべてにより再生され、
前記送信機に前記符号化ブロックを送信させる、
無線マルチキャストシステム。
【請求項１６】
前記コントローラが、前記ターゲット部分集合の受信機の間で最悪のチャネル条件を満足するように送信速度が設定される送信機会ごとに、受信機部分集合をターゲットにすることによって速度適合化を行う、請求項１５に記載のシステム。
【請求項１７】
無線マルチキャストシステムにおける複数の受信機のチャネル状態情報を受信する受信ステップと、
前記送信機に異なる送信タイムスロットごとに異なる速度で送信させるように前記送信機の送信速度を適合させる適合ステップであって、
各送信タイムスロットに関して、複数の受信機のソート済リストから受信機部分集合を決定する決定ステップであって、前記ソート済リストが、各送信タイムスロットにおける各受信機の達成可能速度に基づいてソートされ、前記受信機部分集合が、チャネル状態情報履歴における前記各送信タイムスロットの間に前記同報通信チャネルを介して同報通信送信を確実に受信するターゲットにされた受信機である、該決定ステップと、
送信タイムスロット毎に前記複数の受信機に同報通信チャネルを介して情報をマルチキャスト方式で同報通信する前記送信機の送信速度を、前記同報通信チャネルに関連付けられ前記複数の受信機から受信したチャネル状態情報と、前記複数の受信機のうち、前記各送信タイムスロットの間に前記同報通信チャネルを介して同報通信送信を確実に受信するターゲットにされた前記受信機部分集合とに基づいて設定する設定ステップであって、これにより、前記受信機部分集合に含まれていない複数の受信機が各送信タイムスロットにおけるブロック抹消を観測可能な間に、前記受信機部分集合中の受信機が各送信タイムスロットの同報通信情報を再生することができるようになる、該設定ステップと、
固定速度抹消符号及びレートレス符号からなる群のうちの一つを使って各送信タイムスロットに関する前記同報通信情報から符号化ブロックを生成する生成ステップであって、これにより、異なる複数のタイムスロットを跨いで異なる受信機部分集合をターゲットにすることによって起こる抹消に対して適当な数の符号化ブロックを受信した後に、前記同報通信情報が前記複数の受信機のすべてにより再生される、該生成ステップと、
を含む該適合ステップと、
送信機を用いて前記符号化ブロックを無線で送信する送信ステップと、
を含む方法。
【請求項１８】
前記送信機の送信速度を適合させる前記適合ステップが、前記受信機部分集合のうちの最悪のチャネル条件を満足するように前記送信機の送信速度を設定するステップを含む、請求項１７に記載の方法。
【請求項１９】
前記複数の受信機を個々のチャネル状態情報に基づいてソートしてソートリストを作成し、
最適な順序情報に基づいて前記ソートリスト中の値を決定し、
過去のチャネル状態情報履歴、及び前記複数の受信機のうちの全ての受信機に関連付けられた送信スケジュールのうち少なくとも１つが与えられると、前記ソートリスト中の前記値以上の達成可能送信速度を有する全ての受信機を含むように前記受信機部分集合を決定する
ことによって前記受信機部分集合を識別する識別ステップをさらに含む、請求項１７に記載の方法。
【請求項２０】
前記複数の受信機の各受信機の達成可能速度を次のタイムスロットのための順番でソートしてリストにし、
前記リスト中の１台の受信機の１つの達成可能速度に等しい送信速度であって、前記１つの達成可能速度が、前記リスト中の、所定数の受信機に関連付けられた最高の達成可能速度を含むグループ内において最低の達成可能速度である送信速度を設定する
ことによって前記受信機部分集合を選択する部分集合選択ステップをさらに含み、
前記設定された送信速度以上の信頼できる送信速度を有する受信機への次のタイムスロットでのデータの送信をスケジューリングするスケジューリング・ステップをさらに含む、
請求項１７に記載の方法。
【請求項２１】
前記送信機の送信速度を適合させる前記適合ステップが、
１タイムスロットの間に少なくとも１回のマルチキャスト送信が行われるようにすることを含む、マルチキャスト送信のための速度適合化を行う速度適合化ステップと、
前記送信機の送信速度を設定する速度設定ステップであって、前記送信速度は前記タイムスロットにおいてベストＬ人のユーザに役立つ送信速度である、該速度設定ステップと、
前記タイムスロットの間ずっと前記送信速度で送信する送信サブステップと、を含む、
請求項１７に記載の方法。
【請求項２２】
各受信機について１チャネル当たりの容量を計算する計算ステップと、
前記受信機グループについて１チャネル当たりの容量の正規化したものをソートするソート・ステップと、
前記ソートされた受信機グループから、該受信機のソーティングに基づいて所定数の受信機を選択する受信機選択ステップであって、前記送信速度は前記所定数の受信機の中の受信機の送信速度のうち最低の送信速度にしたがって設定される、該受信機選択ステップと、
をさらに含む請求項２１に記載の方法。
【請求項２３】
前記固定速度抹消符号が、前記チャネル状態情報及び前記スケジュール履歴を使って前記符号化されたブロックを生成する、請求項１７に記載の方法。
【請求項２４】
前記レートレス符号が、前記チャネル状態情報及び前記スケジュール履歴を使って前記符号化されたブロックを生成する、請求項１７に記載の方法。